【事件の表示】
　平成１１年特許願第　７７９８３号「ファクシミリ装置および記憶媒体」拒絶査定不服審判事件〔平成１１年１２月１４日出願公開、特開平１１−３４６２７９〕について、次のとおり審決する。
【結　論】
　本件審判の請求は、成り立たない。
【理　由】
１　手続の経緯
　本願は，平成１１年３月２３日（優先権主張平成１０年３月３１日）の出願であって，平成１７年２月２５日付けで拒絶査定がなされ，これに対し，平成１７年４月７日に拒絶査定に対する審判請求がなされるとともに，平成１７年４月２８日付けで手続補正がなされたものである。
　
２　平成１７年４月２８日付けの手続補正についての補正却下の決定
［補正却下の決定の結論］
　平成１７年４月２８日付けの手続補正を却下する。
［理由］
（１）補正後の本願発明
　本件補正により，補正前の請求項１である
「【請求項１】　電話機能を備えたファクシミリ装置であって，
　送信元を特定する送信元特定情報を受信する通信手段と，
　前記通信手段により受信された送信元特定情報を表示する送信元特定情報表示手段と，
　画像データを受信しない間は前記ファクシミリ装置に内蔵される前記通信手段への主電源を省電力化のために遮断するとともに，副電源によりスタンバイ状態を維持する省電力化手段と，
　送信元からこの送信元の通信手段を介して送信される通信の開始を示す通信開始信号を検出する通信開始信号検出手段と，
　前記通信開始信号の検出後で前記送信元特定情報を受信前に，駆動信号を出力する駆動信号出力手段とを備え，
　前記駆動信号出力手段によって出力された駆動信号によって前記省電力化手段により主電源が遮断されていた前記通信手段を前記送信元特定情報の受信前に駆動させ，この通信手段が前記送信元を特定する送信元特定情報を受信し，前記送信元特定情報表示手段に送信元特定情報を表示することを特徴とするファクシミリ装置。」は，
　補正後の請求項１である
「【請求項１】　電話機能を備えたファクシミリ装置であって，
　送信元を特定する送信元特定情報を受信する通信手段と，
　前記通信手段により受信された送信元特定情報を表示する送信元特定情報表示手段と，
　画像データを受信しない間は前記ファクシミリ装置に内蔵される前記通信手段への主電源を省電力化のために遮断するとともに，副電源によりスタンバイ状態を維持する省電力化手段と，
　前記通信手段により受信される送信元を特定する送信元特定情報に先立ち送信される呼出信号を検出する通信開始信号検出手段と，
　前記呼出信号の検出後で前記送信元特定情報を受信前に，駆動信号を出力する駆動信号出力手段とを備え，
　前記駆動信号出力手段によって出力された駆動信号によって前記省電力化手段により主電源が遮断されていた前記通信手段を前記送信元特定情報の受信前に駆動させ，この通信手段が前記送信元を特定する送信元特定情報を受信し，前記送信元特定情報表示手段に送信元特定情報を表示することを特徴とするファクシミリ装置。」と補正された。
　上記補正は，願書に最初に添付した明細書又は図面に記載した事項の範囲内において，補正前の請求項１の「送信元からこの送信元の通信手段を介して送信される通信の開始を示す通信開始信号」を，補正後の請求項１の「前記通信手段により受信される送信元を特定する送信元特定情報に先立ち送信される呼出信号」とすることで，「通信開始信号」を「送信元を特定する送信元特定情報に先立ち送信される呼出信号」に限定するとともに，受信と無関係な記載を除いて記載をより明りょうなものとしたものであり，また，これに伴って，記載の統一を図るために，補正前の請求項１の「前記通信開始信号」を，補正後の請求項１の「前記呼出信号」とするものであるから，特許法第１７条の２第４項第２号の特許請求の範囲の減縮を目的とするもの及び同項第４号の明りょうでない記載の釈明を目的とするものに該当する。
　そこで，本件補正後の請求項１に記載された発明（以下，「本願補正発明１」という。）が特許出願の際独立して特許を受けることができるものであるか（特許法第１７条の２第５項において準用する同法第１２６条第５項の規定に適合するか）について以下に検討する。
（２）引用刊行物に記載された発明
　原査定の拒絶の理由に引用された特開平９−２７０８７０号公報（以下，「引用刊行物１」という。），特開平９−２００４８４号公報（以下，「引用刊行物２」という。）には，次の事項がそれぞれ記載されている。
　引用刊行物１
　記載事項１　　
　「【００１６】
【発明の実施の形態】　以下，本発明をファクシミリ装置に具体化した一実施形態を図面に基づいて説明する。図１に示すように，ファクシミリ装置１は，ファクシミリ通信動作を行うファクシミリ装置本体２と，電話回線５との接続を制御するＮＣＵ（ネットワークコントロールユニット）３と，通信相手との間で通話を行うための付属電話機４とを有している。このファクシミリ装置１は，発信元番号通知サービスを受けるための機能を有している。又，ファクシミリ装置１には図示しないケーブルを介して子電話機６が接続され，この子電話機６によっても通信相手との間で通話を行うことができる。」（３頁４欄４２行〜４頁５欄３行）
　記載事項２
　「【００１８】モデム１０は送受信データの変調及び復調を行うとともに，交換機から送信されてくるＦＳＫ（周波数変調）信号としての発信元電話番号データを復調する。読取部１１は原稿上の画像を読み取るためのものであり，記録部１２は受信された画データ等に基づき記録紙上に印字を行うためのものである。キー操作部１３は，電話番号等を入力するためのテンキー等の各種操作キーを備えている。表示部１４は，入力された電話番号や，交換機から通知された発信元電話番号等の各種情報を表示する。」（４頁５欄１３〜２２行）
　記載事項３
　「【００２０】次に，前記ＮＣＵ３の構成について説明する。モデム１０はトランス２２を介して電話回線５と接続されている。ＣＭＬリレー２３は電話回線５とモデム１０との間に配置され，ＣＰＵ７の制御により電話回線５を閉結及び開放する。尚，電話回線５は，閉結に伴いモデム１０を介した直流ループを形成し，開放に伴いその直流ループを開放する。極性反転検出回路２４は電話回線５上を流れる電流の極性の反転を検出し，その検出結果をＣＰＵ７に出力する。
【００２１】呼出信号検出回路２５は電話回線５に接続され，その電話回線５上の１６Ｈｚの呼出信号（一般的な呼出信号及びＩＤ受信端末起動信号を含む）を検出する。第１及び第２のオフフック検出回路２６，２７は，それぞれ付属電話機４及び子電話機６のオフフック（ハンドセットを取り上げた状態）を検出する。直流電源供給回路２８は，各電話機４，６のオフフックを検出するために，各電話機４，６に所定電流を供給する。即ち，電話機４，６がオフフックされると，交換機或いは直流電源供給回路２８から各電話機４，６に供給される電流の変化が前記オフフック検出回路２６，２７で検出される。そして，オフフック検出回路２６，２７による電流変化の検出に基づき，ＣＰＵ７は各電話機４，６のオフフックを認識する。又，直流電源供給回路２８は，一般的な呼出信号と同様な信号である１６Ｈｚの疑似呼出信号を発生して各電話機４，６を鳴動させ，使用者に着信を知らせる機能も有している。」（４頁５欄３５行〜６欄１０行）
　記載事項４
　「【００３０】即ち，ファクシミリ装置１のＣＰＵ７は，交換機からの１６Ｈｚ信号がＩＤ受信端末起動信号であると判断すると，ＣＭＬリレー２３により電話回線５を閉結させて，交換機との間でモデム１０を介した直流ループを形成させる。この直流ループの形成が一次応答信号として交換機で検出されると，交換機からファクシミリ装置１へ発信元電話番号のデータがＦＳＫ信号として送信される。交換機からの電話番号データはモデム１０で受信され，同モデム１０はその受信データを復調する。そして，ＣＰＵ７は，モデム１０で復調されたデータに基づき発信元の電話番号を認識し，その発信元電話番号を例えば表示部１４上に表示させる。
【００３１】又，ＣＰＵ７は，交換機からの電話番号データを受信すると，ＣＭＬリレー２３により電話回線５を一旦開放させて，交換機との間の直流ループを開放させる。この直流ループの開放が受信完了信号として交換機で検出されると，交換機からファクシミリ装置１へ一般的な呼出信号（オン時間が１秒で且つオフ時間が２秒の１６Ｈｚ信号）が送信される。ＣＰＵ７は，この呼出信号を呼出信号検出回路２５を介して検出すると，ＣＭＬリレー２３により電話回線５を再び閉結させて直流ループを形成させる。この直流ループの形成が二次応答信号として交換機で検出されると，電話回線５の極性が交換機において復極された後，発信元と着信側のファクシミリ装置１との間で通信が開始される。」（５頁７欄５０行〜８欄２４行）
　したがって，引用刊行物１には，
「電話機能を備えたファクシミリ装置であって，
　発信元を特定する発信元電話番号等の各種情報を受信するモデムと，
　前記モデムにより受信された発信元電話番号等の各種情報を表示する発信元電話番号等の各種情報表示部と，
　前記モデムにより受信される発信元を特定する発信元電話番号等の各種情報に先立ち送信されるＩＤ受信端末起動信号を検出する呼出信号検出回路とを備え，
　前記モデムを駆動させ，このモデムが前記発信元を特定する発信元電話番号等の各種情報を受信し，前記発信元電話番号等の各種情報表示部に発信元電話番号等の各種情報を表示するファクシミリ装置。」の発明が記載されている。
　引用刊行物２
　記載事項１
　「【０００４】本発明は以上のような従来技術の問題点を解消するためになされたもので，アイドル時には各コントローラへの電源供給を停止し，また，送受信時には必要最小限のコントローラに対して電源供給を行うことで，消費電力を抑えることが可能なファクシミリ装置を提供することを目的とする。」（２頁２欄７〜１２行）
　記載事項２　　
　「【０００９】
【発明の実施の形態】以下，本発明にかかるファクシミリ装置の実施の形態について図面を参照しながら説明する。図１において，ファクシミリ装置は，主としてシステムコントローラ１と，２つのファクシミリコントローラ２，３等から構成されている。
【００１０】システムコントローラ１は，ファクシミリ装置のシステム全体の制御を行うユニットであり，内部はＣＰＵ８，制御プログラムが格納されるＲＯＭ９，データの一時的な格納に用いられるＲＡＭ１０，イメージの圧縮や伸張に用いられる圧縮・伸張コントローラ１１，スキャナインターフェース１２，プロッタインタフェース１３，操作部１６とのデータの授受に使用されるＵＡＲＴ１４，及び，各種センサーやモータ，定着ヒーター等の制御に用いられるＰＩＯ１５等から構成されている。
【００１１】以上のような構成のシステムコントローラ１には，ファクシミリコントローラ２と別のファクシミリコントローラ３が接続されている。ファクシミリコントローラ２，３は，ネットワークコントロールユニット（以下「ＮＣＵ」という）制御や，システムコントローラ１から転送される圧縮データの送信や，受信データの変調や復調を行うユニットとなっている。
【００１２】このうち，ファクシミリコントローラ２は，ＤＰＲＡＭ１７，ＣＰＵ１８，ＲＯＭ１９，ＭＯＤＥＭ２０，ＲＡＭ２１，ＰＩＯ２２の各部品から構成されている。また，ファクシミリコントローラ３も，ＤＰＲＡＭ２３，ＣＰＵ２４，ＲＯＭ２５，ＭＯＤＥＭ２６，ＲＡＭ２７，ＰＩＯ２８の各部品から構成されている。
【００１３】ファクシミリコントローラ２のＭＯＤＥＭ２０には外部回線と接続されたＮＣＵ４が，ファクシミリコントローラ３のＭＯＤＥＭ２６にも外部回線と接続されたＮＣＵ５が接続されている。ＮＣＵ４，ＮＣＵ５は，回線網の制御を行うユニットであり，外部回線からの呼出信号を２値化する役割を果たしている。
【００１４】また，上記ファクシミリ装置には，電源ユニット３０と電源制御部２９が設けられてる。電源ユニット３０はシステムコントローラ１，ファクシミリコントローラ２，ファクシミリコントローラ３に電源を供給するための装置となっている。また，電源ユニット３０には電源制御部２９が接続されている。電源制御部２９には，操作部１６，システムコントローラ１，ＮＣＵ４，ＮＣＵ５と接続されており，システムコントローラ１のＰＩＯ１５による設定やＮＣＵ４，５を介して送られる回線からの呼出信号を検出して，電源ユニット３０を制御し，システムコントローラ１やファクシミリコントローラ２，３の電源をオン／オフできるような構成となっている。」（２頁２欄３５行〜３頁３欄３３行）
　記載事項３
　「【００１６】＜受信動作＞システムコントローラ１，ファクシミリコントローラ２，ファクシミリコントローラ３のすべてのコントローラがアイドル状態の場合は，システムコントローラ１によって，全コントローラがアイドル状態であることが認識される。全コントローラがアイドル状態であると認識されると，システムコントローラ１から電源制御部２９に対して，全てのコントローラへ電源供給停止の指示がなされる。この結果，システムコントローラ１，ファクシミリコントローラ２，ファクシミリコントローラ３への電源供給は停止され，ファクシミリ装置はスリープ状態となる。なお，スリープ状態となっても，電源制御部２９には常に電源が供給される。
【００１７】この状態で，ＮＣＵ４と接続された外部回線から呼出信号が入力されると，ＮＣＵ４において２値化された信号が入力される。２値化された信号が入力されると，ＮＣＵ４と接続された電源制御部２９は呼出信号入力状態を認識し，電源制御部２９がファクシミリコントローラ２に対して電源を供給する。これによりファクシミリコントローラ２はＮＣＵ４を制御して，ファクシミリからの信号であると確認できた場合のみ，電源制御部２９に対してシステムコントローラ１への電源供給が指示され，システムコントローラ１が起動される。
【００１８】受信信号は，ＭＯＤＥＭ２０によって復調され，ＤＰＲＡＭ１７を介してシステムコントローラ１へ渡される。システムコントローラ１に渡された受信信号は，圧縮・伸張コントローラ１１によって伸張され，メモリー上に展開された後，プロッタインターフェース１３を介して印刷される。」（３頁３欄３６行〜４欄１４行）
（３）対比
　本願補正発明１と引用刊行物１に記載された発明を対比すると，引用刊行物１に記載された発明の「発信元」「発信元電話番号等の各種情報」「モデム」「表示部」「ＩＤ受信端末起動信号」「呼出信号検出回路」は，本願補正発明１の「送信元」「送信元特定情報」「通信手段」「表示手段」「呼出信号」「通信開始信号検出手段」にそれぞれ相当するので，両者は，
　「電話機能を備えたファクシミリ装置であって，
　送信元を特定する送信元特定情報を受信する通信手段と，
　前記通信手段により受信された送信元特定情報を表示する送信元特定情報表示手段と，
　前記通信手段により受信される送信元を特定する送信元特定情報に先立ち送信される呼出信号を検出する通信開始信号検出手段とを備え，
　前記通信手段を駆動させ，この通信手段が前記送信元を特定する送信元特定情報を受信し，前記送信元特定情報表示手段に送信元特定情報を表示するファクシミリ装置。」である点で一致し，
　次の点で相違する。
　ａ）電源制御手段として，本願補正発明１は「画像データを受信しない間は前記ファクシミリ装置に内蔵される前記通信手段への主電源を省電力化のために遮断するとともに，副電源によりスタンバイ状態を維持する省電力化手段」を設けているのに対し，引用刊行物１に記載された発明はそのように構成されていない点。
　ｂ）電源制御手段への駆動手段として，本願補正発明１は「駆動信号を出力する駆動信号出力手段」を設けているのに対し，引用刊行物１に記載された発明はそのように構成されていない点。
　ｃ）駆動信号を出力するタイミングとして，本願補正発明１は「前記呼出信号（前記通信手段により受信される送信元を特定する送信元特定情報に先立ち送信される呼出信号）の検出後で前記送信元特定情報を受信前に」を採用しているのに対し，引用刊行物１に記載された発明はそのように構成されていない点。
　ｄ）通信手段の状態として，本願補正発明１は「前記駆動信号出力手段によって出力された駆動信号によって前記省電力化手段により主電源が遮断されていた前記通信手段」を用いているのに対し，引用刊行物１に記載された発明はそのように構成されていない点。
　ｅ）通信手段を駆動するタイミングとして，本願補正発明１は「前記送信元特定情報の受信前に」を採用しているのに対し，引用刊行物１に記載された発明はそのように構成されていない点。
（４）判断
　相違点ａ）ｂ）について検討する。
　引用刊行物２の記載事項１乃至３より，引用刊行物２には，「アイドル時には各コントローラへの電源供給を停止し，また，送受信時には必要最小限のコントローラに対して電源供給を行うことで，消費電力を抑えることが可能なファクシミリ装置を提供する」ことを目的とし，具体的な構成要件として「画像データを受信しない間はファクシミリ装置に内蔵されるモデムへの主電源を省電力化のために遮断するとともに，副電源によりスリープ状態を維持する電源ユニット・電源制御部」「駆動信号を出力する電源制御部」を設けることが記載されている。そして，引用刊行物２に記載された発明の「モデム」「スリープ状態」「電源ユニット・電源制御部」「電源制御部」は，本願補正発明１の「通信手段」「スタンバイ状態」「省電力化手段」「駆動信号出力手段」にそれぞれ相当するので，引用刊行物２には，消費電力を抑えることを目的とし，「画像データを受信しない間はファクシミリ装置に内蔵される通信手段への主電源を省電力化のために遮断するとともに，副電源によりスタンバイ状態を維持する省電力化手段」「駆動信号を出力する駆動信号出力手段」を設けてなる発明が記載されている。そして，引用刊行物１と引用刊行物２は共にファクシミリ装置という同一の分野を有するので，引用刊行物２に記載された発明を引用刊行物１に記載された発明に適用することには，格別の困難性が存在せず，相違点ａ）ｂ）は当業者が容易に想到し得ることである。
　相違点ｄ）について検討する。
　相違点ａ）ｂ）で検討したように，引用刊行物２に記載された発明を引用刊行物１に記載された発明に適用すると，「電源制御部によって出力された駆動信号によって電源ユニット・電源制御部により主電源が遮断されていたモデム」，即ち「駆動信号出力手段によって出力された駆動信号によって省電力化手段により主電源が遮断されていた通信手段」は存在することになるので，相違点ｄ）は当業者が容易に想到し得ることである。
　相違点ｃ）ｅ）について検討する。
　引用刊行物２には，呼出信号（リンギングによる）が入力されると，「駆動信号を出力する電源制御部」を動作させて「モデム」を駆動させること，即ち「駆動信号を出力する駆動信号出力手段」を動作させて「通信手段」を動作させることが示されている。そして，例えば，引用刊行物１の記載事項４に，駆動信号によって「ＣＭＬリレー」を送信元特定情報の受信前に駆動させている旨示されているように，通信手段の各構成部品への電源駆動タイミングは，目的とする動作が必要な時点で正常に行われるように，当業者が適宜選定することであるから，省電力化を考慮しつつ，駆動信号を出力するタイミングとして，「呼出信号（通信手段により受信される送信元を特定する送信元特定情報に先立ち送信される呼出信号）の検出後で送信元特定情報を受信前に」とし，また，通信手段を駆動するタイミングとして，「送信元特定情報の受信前に」とする程度のことは，当業者が容易に想到し得ることである。したがって，相違点ｃ）ｅ）に係る本願補正発明１の構成に，格別の技術的意義はない。
　そして，本願補正発明１の作用効果も，引用刊行物１，２及び周知技術から当業者が予測できる範囲のものである。
　したがって，本願補正発明１は，引用刊行物１，２に記載された発明に基づいて，当業者が容易に発明をすることができたものであるから，特許法第２９条第２項の規定により特許出願の際独立して特許を受けることができないものである。
（５）むすび
　以上のとおり，本件補正は，特許法第１７条の２第５項において準用する同法第１２６条第５項の規定に違反するものであり，特許法第１５９条第１項で準用する特許法第５３条第１項の規定により却下されるべきものである。
　
３　本願発明について
　平成１７年４月２８日付けの手続補正は上記のとおり却下されたので，本願の請求項１に係る発明（以下，「本願発明１」という。）は，平成１６年１２月２日付けの手続補正書により補正された明細書の特許請求の範囲の請求項１に記載された事項により特定される次のとおりのものである。
「【請求項１】　電話機能を備えたファクシミリ装置であって，
　送信元を特定する送信元特定情報を受信する通信手段と，
　前記通信手段により受信された送信元特定情報を表示する送信元特定情報表示手段と，
　画像データを受信しない間は前記ファクシミリ装置に内蔵される前記通信手段への主電源を省電力化のために遮断するとともに，副電源によりスタンバイ状態を維持する省電力化手段と，
　送信元からこの送信元の通信手段を介して送信される通信の開始を示す通信開始信号を検出する通信開始信号検出手段と，
　前記通信開始信号の検出後で前記送信元特定情報を受信前に，駆動信号を出力する駆動信号出力手段とを備え，
　前記駆動信号出力手段によって出力された駆動信号によって前記省電力化手段により主電源が遮断されていた前記通信手段を前記送信元特定情報の受信前に駆動させ，この通信手段が前記送信元を特定する送信元特定情報を受信し，前記送信元特定情報表示手段に送信元特定情報を表示することを特徴とするファクシミリ装置。」
（１）引用刊行物に記載された発明
　原査定の拒絶の理由に引用された引用刊行物１，２及びそれらの記載事項は，前記「２　（２）」に記載したとおりである。
（２）対比・判断
　そこで，本願発明１と引用刊行物１に記載された発明とを対比するに，上記「２　（１）」に記載したように，本願発明１は本願補正発明１から当該補正に係る限定を省いたものである。
　そうすると，本願発明の構成に当該補正に係る限定を付加した補正後の発明が，前記「２　（４）」に記載したとおり，引用刊行物１に記載された発明に基づいて当業者が容易に発明をすることができたものであるから，本願発明１も同様の理由により，引用刊行物１，２に記載された発明に基づいて
，当業者が容易に発明をすることができたものである。
（３）むすび
　以上のとおり，本願発明１は，引用刊行物１，２に記載された発明に基づいて，当業者が容易に発明をすることができたものであるから，特許法第２９条第２項の規定により特許を受けることができない。
　よって，結論のとおり審決する。